(57)【要約】【課題】簡便な構造で容器のインクタンク内に空気が入り込まず筆記不良を起こすことなく生産性も考慮し、かつ、インクが無くなった際に廃棄量を増やさず交換が容易な筆記具を提供する。【解決手段】筆記用のインクを収容する可撓性の容器を軸筒内に備えた筆記具において、前記容器内にインクを収容し、前記容器の外面には、軸方向に摺動可能な錘を備えた筆記具。【選択図】図１
2015116739.tif 000002
【特許請求の範囲】
【請求項１】
筆記用のインクを収容する可撓性の容器を軸筒内に備えた筆記具において、
前記容器内にインクを収容し、
前記容器の外面には、軸方向に摺動可能な錘を備えたことを特徴とする筆記具。
【請求項２】
錘は、径方向の外周に軸筒の内面に沿った面を設け、容器の外周の断面積よりも小さい断面積を持ち軸方向に貫通した開口部を設け、
前記開口部内に前記容器を通したことを特徴とする請求項１に記載の筆記具。
【発明の詳細な説明】
【技術分野】
【０００１】
本発明は、ボールペンやマーキングペン、塗布芯を持つ塗布具等の筆記具に関する。
【背景技術】
【０００２】
従来公知の、低粘度インクを直接インクタンク内に充填した水性ボールペンの場合、筆記時にインクを吐出する際にインクタンク内に空気を取り込む必要がある。そのため、筆記中に急激に温度上昇や気圧低下が起きた場合、あるいはキャップ装着中に温度上昇又は気圧低下が起きてタンク内圧が上昇した状態でキャップを取り外した場合、タンク内からインクが噴き出し、筆記中の紙面や、衣服等を汚すことがある。
【０００３】
そこで、いわゆるコレクターと称される櫛歯状インク誘導部材を採用したり、インクタンク内の圧力緩衝構造を採用したりすることによりインクの噴き出し対策を行っている。
【０００４】
しかし、これらの方法では部品点数が多くなりコスト上昇や組み立て工程が煩雑になるという欠点があった。
【０００５】
そこで、下記各特許文献１〜３のように、インクタンクを可撓性の材質で構成し、筆記先端部にバルブ（あるいはスプリング）を搭載することによって、筆記に応じてインクタンクが収縮するため、上記問題を解決する技術が開示されている。
【先行技術文献】
【特許文献】
【０００６】
【特許文献１】特開２０００−１７７２９０号公報
【特許文献２】実公昭２９−１３７１１号公報
【特許文献３】特開２０１２−２０６３８３号公報
【発明の概要】
【発明が解決しようとする課題】
【０００７】
上記従来技術のうち、特許文献１記載の発明では、インクタンクにパウチフィルムを用いた筆記具が開示されている。しかし、筆記先端のインク吐出部分が弁機構となっているため、落下による衝撃が加わった場合や、筆記時、特に上向きで筆記するような場合において、インクタンク内に空気が混入するおそれがある。
【０００８】
特許文献２では、内袋と口片との接合部を紐条で結束しているが、フィルム接合部周辺にシワができるために十分や取付強度を確保できずインクタンク中に気泡が生じ、筆記性にカスレなどの悪影響を及ぼす懸念がある。
【０００９】
特許文献３では、酸化チタン等を含んだ比重差があり攪拌を必要とするインクを収容した場合、インクタンク内に別途攪拌部材を設ける必要があり、インクが無くなった際にインクタンクとその内側の攪拌部材も合わせて廃棄する必要があり、廃棄量が増えてしまう問題がある。
【００１０】
以上の問題点に鑑み、本発明は、簡便な構造でインクタンク内に空気が入り込まず筆記不良を起こすことなく生産性も考慮し、かつ、インクが無くなった際に廃棄量を増やさず交換が容易な筆記具を提供することを課題とする。
【課題を解決するための手段】
【００１１】
本発明は、筆記用のインクを収容する可撓性の容器を軸筒内に備えた筆記具において、
前記容器内にインクを収容し、
前記容器外面には、軸方向に摺動可能な錘を備えたことを特徴とする筆記具である。
【００１２】
本発明において、錘は、径方向の外周に軸筒の内面に沿った面を設け、容器の外周の断面積よりも小さい断面積を持ち軸方向に貫通した開口部を設け、
前記開口部内に前記容器を通したことが好適である。
【発明の効果】
【００１３】
本発明の筆記具によれば、容器外面には、軸方向に摺動可能な錘を備えたので、容器内のインクを簡便な構造で容器内に空気が入り込まずに攪拌でき、筆記不良を起こすことがないと共に、生産性も考慮し、かつ、インクが無くなった際に廃棄量を増やさず容器の交換が容易であるという優れた効果を奏し得る。
【図面の簡単な説明】
【００１４】
【図１】本発明の実施形態に係る筆記具の説明図であり、錘が筆記具の先端側に位置したときの（ａ）が外観図、（ｂ）が縦断面図、（ｃ）が（ｂ）から９０°回転させた筆記具の縦断面図である。
【図２】筆記具の説明図であり、錘が筆記具の後端側に位置したときの（ａ）が外観図、（ｂ）が縦断面図、（ｃ）が（ｂ）から９０°回転させた筆記具の縦断面図である。
【図３】筆記具の各部品の説明図で、（ａ）が先端部に筆記部を備えた容器、（ｂ）が保持部、（ｃ）が先軸、（ｄ）が錘、（ｅ）が筒部、（ｆ）が摘み部、（ｇ）が軸筒である。
【図４】錘の部品図であって、（ａ）が前方からの斜視図、（ｂ）が側面図、（ｃ）が縦断面図、（ｄ）が後方からの視図である。
【発明を実施するための形態】
【００１５】
以下、本発明の実施形態を添付図面の参照によって説明する。
【００１６】
図１〜図４は本発明の実施形態に係る塗布具の説明図である。
図１〜図２に示すように、実施形態の筆記具は、筆記用のインクを収容する可撓性の容器１０を軸筒１２内に備えたものであって、前記容器１０内にインクを収容するものである。
【００１７】
前記容器１０外面には、軸方向に摺動可能な錘１４を備えたものである。
【００１８】
前記筆記具の各部品には、図３に示すように、容器１０の先端に筆記部１６が継手１８によって繋がれている。
【００１９】
容器１０は、薄膜フィルムでチューブ状に形成した可撓性のものであって、インクが浸透しない構造の単層、複層のフィルムのものである。フィルムには、例えばＰＰ、ＰＥ、ＰＶＣ、ＥＶＯＨ等を用いることができる。前記容器１０は、図３に示すように後端部１０ｂが融着や接着等によって封鎖されている。
【００２０】
該継手１８は、概略筒状の内側部材１８ａと外側部材１８ｂとを有する。この内側部材１８ａは先部より後部が大径であり、先部の開口内に筆記部１６の後端部を装着し、後部の外周に前記外側部材１８ｂが外嵌めされる。
【００２１】
前記内側部材１８ａと外側部材１８ｂとの間に容器１０の先端部を環状に挟み付けて固定する。柔軟性のあるシール材２０を介装して前記容器１０の先端部１０ａを挟み付ける。上記のように継手１８（の内側部材１８ａ）の先端には、ボールペンチップ等の筆記部１６が装着されており、該筆記部１６には、中空の継手１８の内部空間を通して容器１０内のインクが筆記部１６に誘導される構成になっている。
【００２２】
錘１４は、図１、図４に示すように、径方向の外周に軸筒１２の内面に沿った面を設けている。
また、インクを充填若しくはある程度充填された状態の容器１０の外周の断面積よりも小さい断面積を持ち軸方向に貫通した開口部１４ａを設けている。当該開口部１４ａ内に前記容器１０を通している。
【００２３】
具体的には、図１に示すように、軸筒１２は円筒形を呈しており軸筒１２の内部を自由に錘１４がその自重で自由に摺動できるように、図４に示すように、錘１４の外周面は円筒面に形成されている。また、前記錘１４の内部の開口部１４ａは断面扁平な長円形形状で軸方向に同様形状で貫通して形成されたスリットとなっている。この開口部１４ａの断面形状は一例であり、開口部１４ａの断面積は、容器の外周の断面積よりも小さい断面積を持つなどしてしごける程度の断面積であれば、断面形状は長円形形状に限らず、円形、楕円形、三角形や矩形等の多角形形状等の種々の形状を採用できる。
【００２４】
前記容器１０は、前記錘１４の開口部１４ａ内を挿通されており、容器１０の外周面を開口部１４ａの内面でしごく状態になる。筆記具が使用者の持ち方や筆記部１６の向き等による位置の変化によって軸筒１２が傾動したり、筆記具が進退方向に位置移動したりした場合、錘１４は、図１のように軸筒１２の先端側に位置した状態から、図２のように軸筒１２の後端側に位置した状態に変化したとき（逆の変化でも同様）に錘１４がその自重で一方（または他方向）に向けて移動する。その錘１４の移動によって容器１０がしごかれてインクが容器１０内で攪拌されるものである。
【００２５】
なお、錘１４は、外周部と内周部が別素材の二色成形されている。外周部が摺動しやすい材質で、内周部が重量のある材質にする等、種々の構成によって実施できる。
【００２６】
筆記具は、図３に示すように、容器１０と筆記部１６を収容する軸筒１２の先方にいわゆるクチプラと称される保持部２２と、該保持部２２を軸筒１２の先端に固定させる筒状の先軸２４と、該軸筒１２の後端に固定筒２６と尾栓２８とを設けている。
【００２７】
固定筒２６は、後端部に孔２６ａと外周フランジが形成されており、尾栓２８を軸筒１２の後端に螺合・外嵌めするときに、前記固定筒２６のフランジを挟み付けた状態で尾栓２８を軸筒１２の後端に螺合して、固定する。その場合に、固定筒２６の概略長円形状の孔に容器１０の後端部１０ｂを通して、固定筒２６と尾栓２８との間にその後端部１０ｂを挟み付けて固定する。
【００２８】
実施形態の筆記具によれば、容器１０の外面には、軸方向に摺動可能な錘１４を備えたので、容器１０内のインクを簡便な構造でインクタンク内に空気が入り込まずに攪拌できる。したがって、十分な攪拌が可能であるので、筆記不良を起こすことがないと共に、生産性も考慮し、かつ、インクが無くなった際に廃棄量を増やさず容器１０交換が容易である。つまり、インクが無くなったら、インクを収容した容器１０と筆記部１６とを有するリフィールを取り換えて軸筒１２内に錘１４を通して装着することによって簡便に取り換えることができる。
【００２９】
なお、前記実施形態では、筆記部にボールペン芯を用いていたが、フェルト、樹脂、繊維束等のマーキングペン用のペン先としてもよい。
【産業上の利用可能性】
【００３０】
本発明の筆記具は、低粘度や高粘度のインクに限られず、インクに顔料等の沈降物を混合したものを使うマーキングペンや塗布具等に利用することができる。
【符号の説明】
【００３１】
１０  容器
１２  軸筒
１４  錘
１４ａ  開口部
１６  筆記部
１８  継手
１８ａ  内側部材
１８ｂ  外側部材
２０  シール材
【図１】
2015116739.tif 000003
【図２】
2015116739.tif 000004
【図３】
2015116739.tif 000005
【図４】
2015116739.tif 000006